(57)【要約】      （修正有）【課題】系統図とリンクを張ることによりデータ検索を簡単にし、保守管理および発注管理の作業を簡単にするプラントデータ管理システムを提供する。【解決手段】系統図６６上に記載されている部分とその部分が表す機器名を関連付ける機器指定データを含む。表示部１５は、系統図６６と、機器情報と関連付けられた機器情報名７３を表示する。演算部１１は、表示部１５に表示された系統図６６の機器の表示が選択されたときに、その機器の機器指定データを取得し、さらに、機器情報名７３が選択されたときに、機器指定データに含まれる機器名に関する選択された機器情報４１〜４９、６１、６２を表示するよう表示部１５を制御する。【選択図】  図１
2004355380.tif 000002
【特許請求の範囲】
【請求項１】
演算部と、記憶部と、表示部と、を具備し、
前記記憶部は、プラントに設置されている機器の接続関係を示す系統図と、前記系統図に記載された前記機器に関する複数種類の機器情報と、を記憶し、前記系統図は、前記系統図上に記載されている部分とその部分が表す機器名を関連付ける機器指定データを含み、
前記表示部は、前記系統図と、前記機器情報と関連付けられた機器情報名とを表示し、
前記演算部は、前記表示部に表示された前記系統図の機器の表示が選択されたときに、その機器の前記機器指定データを取得し、さらに、前記機器情報名が選択されたときに、前記機器指定データに含まれる機器名に関して、選択された前記機器情報名に関連付けられた機器情報を表示するよう前記表示部を制御する、プラントデータ管理システム。
【請求項２】
前記機器は、静機器、回転機器、計装機器、電気機器、配管および配管部品の少なくともいずれかを含む、
請求項１に記載されたプラントデータ管理システム。
【請求項３】
前記機器情報は、仕様決定根拠書、基本設計仕様書、仕様データ、外形図、構造図、計算書、消耗品リスト、潤滑油リスト、パッキンリスト、予備品リストの少なくともいずれかを含む、
請求項１または２に記載されたプラントデータ管理システム。
【請求項４】
さらに、前記記憶部は、前記機器の検査および保守のデータである検査・保守履歴データを記憶し、
前記演算部は、前記機器情報を表示するときに、前記検査・保守履歴データの一部を参照して表示するように前記表示部を制御する、
請求項１〜３のいずれかに記載されたプラントデータ管理システム。
【請求項５】
さらに、前記記憶部は、前記機器の検査および保守の作業内容および時期を含む計画である検査・保守計画データを記憶し、
前記演算部は、前記機器情報を表示するときに、前記検査・保守計画データの一部を参照して表示するように前記表示部を制御する、
請求項に１〜４のいずれかに記載されたプラントデータ管理システム。
【請求項６】
さらに、前記記憶部は、前記プラントの運転履歴および運転計画データを記憶し、
前記演算部は、前記検査・保守履歴データ、前記運転履歴および運転計画データから、前記機器もしくは前記機器の部品の寿命を演算し、前記検査・保守計画データを参照して、前記寿命前に当該機器の検査もしくは保守計画がない場合に、使用者の注意を喚起する表示を行うよう前記表示部を制御する、
請求項５に記載されたプラントデータ管理システム。
【請求項７】
さらに、前記記憶部は、所定の検査もしくは保守作業における標準作業で必要となる交換部品の種類および数量を含む検査・保守用部品データと、在庫として保有している部品の種類と数量を含む在庫データと、を記憶し、
前記演算部は、前記検査・保守計画データに含まれる検査・保守の作業内容から、前記検査・保守用部品データを検索して、必要な交換部品の種類と数量を把握し、前記在庫データを検索して、不足する交換部品の種類と数量を把握する、請求項５もしくは６に記載されたプラントデータ管理システム。
【請求項８】
さらに、前記記憶部は、前記交換部品の納期を含む消耗品リストを記憶し、
前記演算部は、前記検査・保守計画データに含まれる検査・保守の時期と、前記消耗品リストを検索して得られる前記不足する交換部品の納期から、前記不足する交換部品の発注時期を演算する、
請求項７に記載されたプラントデータ管理システム。
【請求項９】
さらに、ネットワークを介して通信する通信部を具備し、
さらに、前記記憶部は、部品を発注する先である物品購入先のネットワーク上のアドレスと前記物品を関連付ける物品購入先リストを記憶し、
前記演算部は、前記不足する交換部品に関する見積もり依頼を、ネットワークを介して、前記物品購入先に送信するよう前記通信部を制御する、
請求項７もしくは８に記載されたプラントデータ管理システム。
【請求項１０】
表示部に表示された系統図上に記載された機器の表示が選択されるステップと、
前記表示部に表示されたデータの種類の表示が選択されるステップと、
演算部が、選択された前記機器に関する、選択された前記データを、記憶部から読み出して、前記表示部に表示するステップと、
を含む、
プラントデータ管理方法。
【請求項１１】
前記データは各機器の消耗品の種類と数量のデータを含む消耗品リストであり、
さらに、前記演算部は前記消耗品リストが選択された際に、機器毎に予備として保持すべき消耗品および部品の種類および数量のデータを含む予備品リストと、在庫として保有している部品の種類と数量を含む在庫データを参照して、不足している消耗品の種類と数量を演算するステップと、
前記表示部が、演算された不足している消耗品の種類と数量を表示するステップを含む、
請求項１０に記載されたプラントデータ管理方法。
【請求項１２】
さらに、前記演算部が、入力部から入力される保守作業の情報を取得するステップと、
前記演算部が、入力された前記保守作業の情報から当該保守作業で使用される消耗品と部品の種類および数量を取得するステップと、
前記不足している消耗品の種類と数量を演算するステップにおいて、前記演算部が、前記保守作業で使用される消耗品と部品の種類および数量と、機器毎に予備として保持すべき消耗品および部品の種類および数量のデータを含む予備品リストと、在庫として保有している部品の種類および数量のデータを含む在庫データを参照し、不足している消耗品の種類と数量を演算する、
請求項１１に記載されたプラントデータ管理方法。
【請求項１３】
さらに、前記保守作業の情報は保守作業の実施時期を含み、前記消耗品リストは消耗品の納期を含み、
前記演算部は、前記消耗品リストを参照して、不足している消耗品の納期を取得し、さらに、前記保守作業の実施時期と前記消耗品の納期から、前記保守作業の実施時期までに前記消耗品が納入されるように、前記消耗品の発注時期もしくは見積もり依頼時期を決定するステップを含む、
請求項１２に記載されたプラントデータ管理方法。
【請求項１４】
さらに、通信部が前記不足している消耗品の種類と数量を含む情報を、ネットワークを通じて部品納入業者に送付して見積もりを依頼するステップと、を含む、
請求項１１〜１３のいずれかに記載されたプラントデータ管理方法。
【請求項１５】
さらに、通信部が前記不足している消耗品の種類と数量を含む情報を、ネットワークを通じて複数の部品納入業者に送付して見積もりを依頼するステップと、
前記演算部が、前記複数の部品納入業者の中から、最も安い部品納入業者を選択するステップと、
前記通信部が、前記最も安い部品納入業者に発注依頼を送付するステップを含む、
請求項１１〜１３のいずれかにに記載されたプラントデータ管理方法。
【発明の詳細な説明】
【０００１】
【発明の属する技術分野】
本発明は、データ管理システムに関し、特にプラントのデータ管理システムに関する。
【０００２】
【従来の技術】
火力発電所や化学プラントに代表されるプラントは、複数の機器が配管で接続され、複数の複雑な系統を有している。さらに、各系統には制御のために各種センサ、計装類が設置され、系統内の温度、圧力、流量などの物理量を測定し、制御用バルブやポンプを制御している。
【０００３】
このようなプラントの系統および制御系が記載された系統図（Ｐ＆ＩＤ：パイピング  アンド  インストゥルメンツ  ダイアグラム）が作成され使用される。
系統図は、機器の接続関係や制御系を把握するのに使用される。
系統図は、ＣＡＤで製作され、ＣＡＤデータ上で機器等（静機器、回転機器、配管、配管部品、計装品を含む、以下同じ）を表す線や図形に属性が付けられる場合がある。
【０００４】
ＣＡＤ装置により作成された設備図は、図データと、設備図内のそれぞれの機器に対応して予め設けられた属性データとを有している。この属性データは、機器を認識するための機器コードとその機器の仕様内容を示す仕様データとからなる。図データに基づき設備図を表示装置に表示し、その設備図内の機器を指定することによって属性データの仕様データを設備図上に表示するようにしたことを特徴とする設備管理システムがある（特許文献１参照）。
【０００５】
プラントの保守データを管理し、保守業務を支援するプラント保守管理装置において、該プラントの建設費データおよび、保守費用データを格納するデータベースと、該建設費データおよび該保守費用データに基づいて、該プラントの更新時期を経済的に判断するための経済的使用年数を求めるライフサイクルコスト解析部とを備えることを特徴とするプラント保守管理装置がある（特許文献２参照）。
【０００６】
プラントにおいては、機器の設計条件や仕様の他に、機器等毎に機器等の外形図、構造図、消耗品リスト、潤滑油リスト、パッキンリスト、予備品リストを含むデータが製作され管理される必要がある。
さらに、検査や保守を行った記録である検査・保守履歴データ、および検査や保守の計画を含む検査・保守計画データを使用する保守履歴・保守管理システムが使用される場合がある。
さらに、運転計履歴／運転計画データを使用するプラント運転履歴／計画システムが使用される場合がある。
さらに、在庫管理のための在庫管理システムが使用される場合がある。
さらに、物品購入のための物品購入システムが使用される場合がある。
これらのシステムは、各々独立して作成され、入力などの作業が重複して行われる場合がある。
これらのシステムは、共通するデータを共有することが好ましい。
【０００７】
【特許文献１】
特開平５−２５９１
【特許文献２】
特開２０００−１２２７１２
【０００８】
【発明が解決しようとする課題】
本発明の目的は、プラントデータ管理システムは、系統図とリンクを張ることによりデータ検索を簡単にし、さらに保守管理および発注管理の作業を簡単にすることにある。
【０００９】
【課題を解決するための手段】
以下に、［発明の実施の形態］で使用する番号・符号を用いて、課題を解決するための手段を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【００１０】
本発明のプラントデータ管理システムは、演算部（１１）と、記憶部（１２）と、表示部（１５）と、を具備する。
記憶部（１２）は、プラントに設置されている機器の接続関係を示す系統図（６６）と、系統図（６６）に記載された機器に関する複数種類の機器情報（４１〜４９、６１、６２）と、を記憶する。上記系統図（６６）は、系統図（６６）上に記載されている部分とその部分が表す機器名を関連付ける機器指定データを含む。
表示部（１５）は、系統図（６６）と、機器情報と関連付けられた機器情報名（７３）を表示する。
演算部（１１）は、表示部（１５）に表示された系統図（６６）の機器の表示が選択されたときに、その機器の機器指定データを取得し、さらに、機器情報名（７３）が選択されたときに、機器指定データに含まれる機器名に関する選択された機器情報（４１〜４９、６１、６２）を表示するよう表示部（１５）を制御する。
【００１１】
上記の機器は、静機器、回転機器、計装機器、電気機器、配管および配管部品の少なくともいずれかを含む。
【００１２】
上記の機器情報は、仕様決定根拠書／基本設計仕様書（４１）、仕様データ（４２）、外形図（４３）、構造図（４４）、計算書（４５）、消耗品リスト（４６）、潤滑油リスト（４７）、パッキンリスト（４８）、予備品リスト（４９）の少なくともいずれかを含む。
【００１３】
さらに、本発明のプラントデータ管理システムの記憶部（１２）は、機器の検査および保守のデータである検査・保守履歴データ（６１）を記憶する。
演算部（１１）は、機器情報を表示するときに、検査・保守履歴データ（６１）の一部を表示するように表示部（１５）を制御する。
【００１４】
さらに、本発明のプラントデータ管理システムの記憶部（１２）は、機器の検査および保守の作業内容および時期を含む計画である検査・保守計画データ（６２）を記憶する。
演算部（１１）は、機器情報を表示するときに、検査・保守計画データ（６２）の一部を表示するように表示部（１５）を制御する。
【００１５】
さらに、本発明のプラントデータ管理システムの記憶部（１２）は、プラント運転履歴／運転計画データ（６７）を記憶する。
本発明のプラントデータ管理システムの演算部（１１）は、検査・保守履歴データ（６１）とプラント運転履歴／運転計画データ（６７）から、機器もしくは機器の部品の寿命を演算し、さらに、検査・保守計画データ（６２）を参照して、寿命前に当該機器の検査もしくは保守計画がない場合に、使用者の注意を喚起する表示を行うよう表示部（１５）を制御する。
【００１６】
さらに、本発明のプラントデータ管理システムの記憶部（１２）は、所定の検査もしくは保守作業における標準作業で必要となる交換部品の種類および数量を含む検査・保守用部品データ（６３）と、在庫として保有している部品の種類と数量を含む在庫データ（６４）とを記憶する。
演算部（１１）は、検査・保守計画データ（６２）に含まれる検査・保守の作業内容から、検査・保守用部品データ（６３）を検索して、必要な交換部品の種類と数量を把握し、在庫データ（６４）を検索して、不足する交換部品の種類と数量を把握する。
【００１７】
さらに、本発明のプラントデータ管理システムの記憶部（１２）は、交換部品の納期を含む消耗品リスト（４６）を記憶する。
演算部（１１）は、検査・保守計画データ（６２）に含まれる検査・保守の時期と、消耗品リストを検索して得られる不足する交換部品の納期から、不足する交換部品の発注時期を演算する。
【００１８】
さらに、本発明のプラントデータ管理システムは、ネットワーク（１００）を介して通信する通信部（１３）を具備する。
さらに、記憶部（１２）は、部品を発注する先である物品購入先のネットワーク（１００）上のアドレスと当該物品を関連付ける物品購入先リスト（６５）を記憶し、演算部（１１）は、不足する交換部品に関する見積もり依頼を、ネットワーク（１００）を介して、物品購入先（１０１）に送信するよう通信部（１３）を制御する。
【００１９】
本発明のプラントデータ管理方法は、以下のステップを含む。
表示部（１５）に表示された系統図（８０）上に記載された機器の表示が選択されるステップ。
表示部（１５）に表示されたデータの種類の表示が選択されるステップ。
演算部（１１）が、選択された機器に関する、選択されたデータを、記憶部（１２）から読み出して、表示部（１５）に表示するステップ。
【００２０】
上記データは各機器の消耗品の種類と数量のデータを含む消耗品リスト（４６）である。
さらに、本発明のプラントデータ管理方法は、演算部（１１）は消耗品リスト（４６）が選択された際に、機器毎に予備として保持すべき消耗品および部品の種類および数量のデータを含む予備品リスト（４９）と、在庫として保有している部品の種類と数量を含む在庫データ（６４）を参照して、不足している消耗品の種類と数量を演算するステップと、表示部（１５）が、演算された不足している消耗品の種類と数量を表示するステップを含む。
【００２１】
さらに、本発明のプラントデータ管理方法は、以下のステップを含む。
演算部（１１）が、入力部から入力される保守作業の情報を取得するステップ。
演算部（１１）が、入力された保守作業の情報から当該保守作業で使用される消耗品と部品の種類および数量を取得するステップ。
不足している消耗品の種類と数量を演算するステップにおいて、演算部（１１）が、保守作業で使用される消耗品と部品の種類および数量と、機器毎に予備として保持すべき消耗品および部品の種類および数量のデータを含む予備品リスト（４９）と、在庫として保有している部品の種類および数量のデータを含む在庫データ（６４）を参照し、不足している消耗品の種類と数量を演算する。
【００２２】
さらに、上記の保守作業の情報（６２）は保守作業の実施時期を含み、消耗品リスト（４６）は消耗品の納期を含む。
本発明のプラントデータ管理方法は、演算部（１１）が、消耗品リスト（４６）を参照して、不足している消耗品の納期を取得し、さらに、保守作業の実施時期と消耗品の納期から、保守作業の実施時期までに消耗品が納入されるように、消耗品の発注時期もしくは見積もり依頼時期を決定するステップを含む。
【００２３】
さらに、本発明のプラントデータ管理方法は、通信部（１３）が不足している消耗品の種類と数量を含む情報を、ネットワーク（１００）を通じて部品納入業者（１０１）に送付して見積もりを依頼するステップを含む。
【００２４】
さらに、本発明のプラントデータ管理方法は、通信部（１３）が不足している消耗品の種類と数量を含む情報を、ネットワーク（１００）を通じて複数の部品納入業者（１０１）に送付して見積もりを依頼するステップと、演算部（１１）が、複数の部品納入業者の中から、最も安い部品納入業者を選択するステップと、通信部（１３）が、最も安い部品納入業者に発注依頼を送付するステップを含む。
【００２５】
【発明の実施の形態】
添付図面を参照して、本発明によるプラントデータ管理システムの実施の形態を以下に説明する。
【００２６】
図１は、プラントデータ管理システムの構成を示す。
プラントデータ管理システムは、ホストサーバ１０と、ホストサーバ１０とネットワーク１００で接続される端末で構成される。
端末は、検査・保守計画部門で使用される計画部門端末２０、保守を実施する保守部門で使用される保守部門端末２１、倉庫管理部門で使用される倉庫部門端末２２、購買部門で使用される購買部門端末２３のいずれかを含む。端末は、パーソナルコンピュータに例示され、演算部、表示部、入力部、通信部を具備する。
端末からホストサーバ１０にアクセスし、データ検索／管理プログラム３０、保守履歴／保守計画プログラム３１、在庫管理プログラム３２、物品購入プログラム３３、プラント運転履歴／計画プログラム３４を実行することができる。
【００２７】
ホストサーバ１０は、演算部１１と、記憶部１２と、通信部１３と、入力部１４と、表示部１５を具備する。
演算部１１は、ＣＰＵを具備する演算装置に代表され、データ検索／管理プログラム３０、保守履歴／保守計画プログラム３１、在庫管理プログラム３２、物品購入プログラム３３、プラント運転履歴／計画プログラム３４を実行することができる。
データ検索／管理プログラム３０、保守履歴／保守計画プログラム３１、在庫管理プログラム３２、物品購入プログラム３３、プラント運転履歴／計画プログラム３４の詳細は後述される。
【００２８】
記憶部１２は、ハードディスクに代表され、各種のデータを記憶する。具体的には、系統図データ６６、仕様決定根拠書／基本設計仕様書４１、仕様／設計データ４２、外形図４３、構造図４４、計算書４５、消耗品リスト４６、潤滑油リスト４７、パッキンリスト４８、予備品リスト４９、検査・保守履歴データ６１、検査・保守計画データ６２、検査・保守用部品データ６３、在庫データ６４、物品購入先データ６５、プラント運転履歴／計画データ６７を記憶する場合がある。上記のデータは、電子的に記憶され表示部１５上に表示することができる。記憶部１２に記憶される各データの詳細は後述される。
【００２９】
通信部１３は、モデムに代表され、ネットワーク１００を通じて、端末とデータを送受信する。
入力部１４は、キーボードやマウスに代表され、ホストサーバ１０に情報を入力するために使用される。
表示部１５は、ＣＲＴや液晶表示装置に代表され、必要な情報を表示する。
【００３０】
図２に、データ検索／管理プログラム３０、保守履歴／保守計画プログラム３１、在庫管理プログラム３２、物品購入プログラム３３、プラント運転履歴／運転計画プログラム３４と、上記データの関係が示される。
【００３１】
系統図データ６６は、ＣＡＤなどで作成されたＰ＆ＩＤ（パイピング  アンドインストゥルメンツ  ダイアグラム）で、機器、配管、配管部品（バルブなど）を含む機器の接続関係、各種センサを含む計装品とその計装品の検出値により制御される機器の関係を示す。（以下、機器と計装品を合わせて機器等と記載する。）さらに、系統図データ６６に含まれる線や図形（以下、線図と記載する）は、その線図が表す機器等と属性付けられている。具体的には、線図と機器等の識別番号が関連付けられている。もしくは、系統図データ６６上に記載された機器等の識別番号の表示と、識別番号が関連つけられている。
【００３２】
仕様決定根拠書／基本設計仕様書４１は、当該プラント設計における各機器等の仕様を決めるためのデータである。
仕様／設計データ４２は、機器等毎に決まる製作後の機器等の仕様／設計データである。仕様／設計データ４２は、仕様決定根拠書／基本設計仕様書４１に含まれる場合があるが、ポンプやモータの性能のように、製作結果と設計目標が同一でない場合に、実際に設置された機器等のデータとして記録されることが好ましい。また、機器等の使用板厚等は、仕様決定根拠書／基本設計仕様書４１の設計値より厚いものが使用される場合がある、もしくは仕様決定根拠書／基本設計仕様書４１では記載されない場合がある。このため、実際に設置された機器等の所定の情報が記載されることが好ましい。さらに、計装品などでは、仕様決定根拠書／基本設計仕様書４１の仕様を満たす標準品が使用される場合があるので、実際に設置された機器等の仕様／設計データ４２が記載されることが好ましい。
【００３３】
外形図４３は、機器等の外形図である。外形図４３は、ＣＡＤで製作された電子データとして記録されている場合がある。
構造図４４は、機器等の構造図である。構造図４４は、ＣＡＤで製作された電子データとして記録されている場合がある。
外形図４３や構造図４４上の部品の表示は、部品名と関連付けられ、部品の表示部分を選択することで、より詳細な部品図を表示するようにすることもできる。
計算書４５は、機器等の強度計算書もしくは、機器等の性能を計算した計算書である。
【００３４】
消耗品リスト４６は、機器等で使用される部品で、運転することにより消耗する部品の種類や数量もしくは充填物などの種類や数量が機器毎に記載されたリストである。消耗品リスト４６は、部品毎に適正な在庫数量のデータを含む場合がある。
潤滑油リスト４７は、機器等の内、回転機などで使用される潤滑油の種類および数量が、使用される機器毎に記載されたリストである。
パッキンリスト４８は、機器毎に使用されるパッキンの種類や数量が機器毎に記載されたリストである。
予備品リスト４９は、機器等毎に予備品として保有する部品の種類や量が機器毎に記載されたリストである。予備品リスト４９は、消耗品を含む場合があるが、消耗品に限られず、緊急で使用される場合があるが長納期の部品も含まれる場合がある。
消耗品リスト４６、潤滑油リスト４７、予備品リスト４９は、一つのリストとして作成される場合がある。
【００３５】
検査・保守履歴データ６１は、機器毎に検査結果や保守履歴を記録したデータである。具体的には検査した時期、検査内容、検査結果（寿命評価を含む）、保守目的、保守をした時期、保守部分、保守内容、取替部品を含む。
検査・保守計画データ６２は、機器毎に将来の検査時期、検査内容、保守時期、保守内容を記録したデータである。将来の検査時期、検査内容、保守時期、保守内容は、定期検査の時期、法定検査の時期、消耗品の取替時期、検査結果（寿命評価を含む）などにより決められる。保守内容は、特別に計画されている取替部品の種類や作業内容を含む場合がある。
検査・保守用部品データ６３は、機器毎に標準の検査作業や保守作業における標準作業に必要な交換部品を記載したデータである。具体的には、所定のドラムの開放には、標準作業としてマンホールのパッキンの交換、ボルトの交換が必要と仮定すると、このドラムの開放検査や開放する保守が実施される場合、最低限必要なマンホールのパッキンとボルトの仕様および数量を含むデータである。標準作業は機器毎に決められる。
在庫データ６４は、倉庫などに保管されている在庫品の種類および数量を含む。在庫品には、一般的に使用される部品にはその仕様が、特殊な部品には使用される機器が関連付けられていることが好ましい。
物品購入先データ６５は、機器毎もしくは部品毎に部品を購入する販売者１０１を記載したデータである。物品購入先データ６５には、物品販売者１０１のネットワーク１００上のアドレスが記載される場合がある。
プラント運転履歴／計画データ６７は、当該プラントの運転履歴と、運転計画のデータを含む。具体的には、運転を実施した期間、および今後運転する時期と期間を含む。プラント運転履歴／計画データ６７は、実プラントの制御装置から取得される場合がある。
【００３６】
次に、図７と図８を参照して、プラントデータ管理システムの動作の一例が示される。
図３〜図６は、この動作において、表示部に表示される画面７０を示す。
使用者が、データ検索／管理プログラム３０を起動し、入力部１４を操作して、系統図を選択する（Ｓ１）。演算部１１は、データ検索／管理プログラム３０を実行して、系統図データ６６上で選択された機器、選択されたデータを、記憶部から１２読み出して、表示部１５に表示するよう制御することができる。具体的には、表示部１５に表示された系統図データ６６上で、入力部１４からの入力によりある機器等を示す線図が選択されると、演算部１１が、その線図に属性付けられた機器等の識別番号を取得し、さらに、表示部１５に示された複数のデータ名を示すメニュー表示からデータ名表示が入力部１４からの入力により選択されると、演算部１１が、選択された機器等の選択されたデータ名のデータを記憶部１２から取得し、表示するように表示部１５を制御する機能である。
演算部１１は、選択された系統図を表示部１５の画面の一部（本例では図３の右側）に表示する（Ｓ２）。
【００３７】
使用者が、ポインタ８１により、系統図中の機器の表示を選択する（Ｓ３）。
演算部１１は、機器の表示に関連付けられた機器の識別番号を取得し、機器に関するデータのメニューを、画面の一部（本例では左側）に表示する（Ｓ４）。
図３は、系統図８０と各種データ名を記載したメニュー７３が示されている画面７０を示す。さらに、画面には表されている系統図の名前７１、ポインタ８１が指定している機器の名前７２が表示される。メニュー７３には、設置目的７３−１、運用方法７３−２、使用決定根拠書７３−３、外形図・構造図７３−４、ロジック図７３−５、潤滑油リスト７３−６、消耗品リスト７３−７、パッキンリスト７３−８、予備品リスト７３−９、検査履歴７３−１０、保守履歴７３−１１、検査・保守計画７３−１２、検査・保守計画７３−１３を指定するための表示が表示されている。
メニューに記載されている種類のデータは記憶部１２に記憶されている。
機器の名前７２は、系統図８０上でポインタ８１が指定している機器の名前が自動的に表示される。系統図８０上で、ポインタ８１が指定している機器の表示は色が変化することが、どの機器を指定しているか使用者が理解するために好ましい。
使用者は、ポインタ８１で系統図８０上の機器の表示を指定し、さらにメニューから表示させるデータ名を指定する。演算部は、データ検索／管理プログラム３０を実行して、指定された機器の表示に関連つけられた機器の識別番号を取得し、指定された機器の指定されたデータを記憶部１２から取得して、表示するように表示部１５を制御する。
使用者が、ポインタ８１により、メニューの中から、表示部１５に表示させるデータを選択する（Ｓ５）。
【００３８】
演算部１１により、選択された機器の選択されたデータが記憶部１２から取得され表示部１５に表示される（Ｓ６）。本例では、メニューから構造図が選択され、構造図が表示される例が示される。さらに、構造図に表示されている部品が選択されると、演算部１１が、部品の表示に関連付けられた部品名を取得し、その部品名の部品の詳細図を記憶部１２から読み出し、表示するように表示部１５を表示する。
図４は、系統図８０上で、あるポンプが指定され、外形図・構造図７３−４が指定された場合に、そのポンプの構造図を表示した画面７０の例を示す。
外形図・構造図７３−４の表示は、選択されたことを示すよう表示色が変化することが好ましい。
【００３９】
なお、使用者は、メニューから他のデータを指定することができる。
図５は、保守履歴７３−１１が指定された場合に、その機器の保守履歴を表示した画面７０の例を示す。保守履歴は、保守を実施した年８３ａ、月８３ｂ、日８３ｃ、目的８３ｄ、購入部品８３ｅ、メンテナンス部分８３ｆ、取り替え部品８３ｇ、コメント８３ｈを含む例が示される。
【００４０】
次に、使用者が、ポインタ８１により、メニューから消耗品リスト、パッキンリスト、予備品リストなどを選択する（Ｓ７）。
演算部１１が、選択されている機器の消耗品リスト、パッキンリスト、予備品リストを、記憶部１２から読出し、表示部１５に表示する（Ｓ８）。
図６は、予備品リスト７３−９が指定された場合に、その機器の予備品リスト７３−９を表示した画面７０の例を示す。
予備品リスト８４は、ナンバー８４ａ、名称８４ｂ、略図８４ｃ、図番８４ｄ、常備数８４ｅ、予備数８４ｆ、材料８４ｇ、寿命８４ｈ、標準納期８４ｉ、質量８４ｊ、注文数量８４ｋ、注文８４ｌ、最終交換日８４ｍを含む場合がある。
名称８４ｂは、予備品の名称である。
略図８４ｃは、予備品の寸法等を示す略図である。
図番８４ｄは、予備品が使用される機器もしくはその部品の外形図の番号を示す。
常備数８４ｅは、予備品を通常在庫として保管しておくべき数量である。常備数８４ｅは、最終交換時期と寿命から、演算部１１が、保守履歴・保守計画プログラム３１もしくはデータ検索／管理プログラム３０を実行して演算する場合がある。
予備数８４ｆは、現在在庫として保管している数量である。予備数８４ｆは、演算部１１がデータ検索／管理プログラム３０を実行して、在庫データ６４から入手して自動的に表示するよう表示部１５を制御する場合がある。
材料８４ｇは、予備品の材質である。
寿命８４ｈは、予備品の寿命である。寿命８４ｈは、演算部１１がデータ検索／管理プログラム３０を実行して、検査・保守履歴データ６１とプラント運転履歴／計画データ６５を使用して演算し、自動的に表示するよう表示部１５を制御する場合がある。
標準納期８４ｉは、予備品の標準的な納期である。
質量８４ｊは、予備品の質量である。予備品の質量が重い場合は移動等に設備がいるので、必要に応じて記載される。
注文数量８４ｋには、演算部１１が、データ検索／管理プログラム３０を実行して、常備数８４ｅと予備数８４ｆを比較し、不足する数量が自動的に入力される場合がある。注文数量８４ｋは、使用者により入力される場合もある。
注文８４ｌは、使用者が□にチェックすると、演算部１１がその予備品の種類と注文数量８４ｋの情報を物品購入プログラム３３に送付し、演算部１１が物品購入プログラム３３を実行して、物品購入先データ６５から検索されたその消耗品の販売者１０１に、見積依頼を送付する。
最終交換日８４ｍは、その消耗品が交換された最終日を示す。最終交換日８４ｍは、演算部１１がデータ検索／管理プログラム３０を実行して、検査・保守履歴データ６１から入手し、自動的に表示するよう表示部１５を制御する場合がある。
消耗品リスト、パッキンリスト、予備品リストを表示する場合に、在庫数が含まれる場合、演算部１１が、在庫データ６４から、在庫数を取得して表示するように表示部１５を制御する場合がある。
消耗品リスト、パッキンリスト、予備品リストを表示する場合に、演算部１１が、検査・保守履歴データ６１から、寿命や最終取替日を取得して表示するように表示部１５を制御する場合がある。
【００４１】
さらに、演算部１１は、データ検索／管理プログラム３０を実行して、予備品リスト４９で決められた部品の種類および数量が、在庫として保有されていない場合に、注意を喚起する表示を表示する機能を有する場合がある。さらに、予備品リスト４９で決められた部品の種類および数量が、在庫として保有されていない場合に、演算部１１は、物品購入プログラム３３を実行して、不足する部品の見積依頼もしくは発注をすることができる。
【００４２】
さらに、演算部１１は、データ検索／管理プログラム３０を実行して、消耗品リスト４６に含まれる消耗品の適正な在庫数のデータと、在庫として保有しているその消耗品の数量を表示するように表示部１５を制御することができる。
さらに、演算部１１は、データ検索／管理プログラム３０を実行して、消耗品の適正な在庫数量を、検査・保守履歴データ６１のその消耗品の取替時期を参照して、変更することができる。具体的には、演算部１１は、消耗品の最終取替時期から所定の時間が経過することにより、在庫を保持する、もしくは在庫数量を増やすように演算し、消耗品リスト４６の適正な在庫数のデータを変更する。
さらに、演算部１１は、データ検索／管理プログラム３０を実行して、消耗品リスト４６で決められた適正な在庫数量が、在庫として保有されていない場合に、注意を喚起する表示を表示する機能を有する場合がある。さらに、消耗品リスト４６で決められた適正な在庫数が、在庫として保有されていない場合に、演算部１１は、物品購入プログラム３３を実行して、不足する消耗品の見積依頼もしくは発注をすることができる。
【００４３】
使用者が、入力部１４を操作して、見積を依頼する部品をリストから選択する（Ｓ９）。さらに、使用者が、画面の見積依頼の選択をするボタン（図示無し）を選択すると、演算部１１が、物品購入プログラム３３を実行して、選択された部品の種類と数量の情報を含む見積依頼書を作成し、さらに、その物品の販売者１０１のアドレスを物品購入先データ６５から検索して、ネットワーク１００を介して、販売者１０１の端末に見積依頼書を送付する。
【００４４】
販売者１０１は、見積依頼書を受信し、ネットワーク１００を介して見積書を返信する（Ｓ１０）。見積依頼書は所定の書式に金額を記入して返信するように構成されていることが、電子的に処理できるため好ましい。
使用者は、見積書を確認して発注するか決定する（Ｓ１１）。使用者は、発注しない場合は、再見積をするか決定する（Ｓ１２）。再見積をする場合は、ステップ９に戻る。再見積をしない場合は、購入を中止するため作業を終了する。
【００４５】
見積書により発注する場合は、使用者が販売者１０１を選択して、画面上の発注ボタン（図示無し）を選択することで、物品購入プログラム３３が発注書を作成し、ネットワーク１００を介して販売者１０１に発注書が送付され、発注が行われる（Ｓ１３）。
発注はログとして、検査・保守履歴データ６１、在庫データ６４に自動的に登録され、その物品が納入されると在庫データ６４に登録され、予備品リストなどの予備品数などにカウントされる（Ｓ１４）。
【００４６】
なお、上記に加えて各プログラムを実行することで、演算部１１が以下の動作をすることができる。、
演算部１１は、保守履歴／保守計画プログラム３１、在庫管理プログラム３２、物品購入プログラム３３などの他のプログラムを実行して各種データを使用する場合に、データ検索／管理プログラム３０を実行して各種データを取得する機能を有する。
また、データ検索／管理プログラム３０は、保守履歴／保守計画プログラム３１、在庫管理プログラム３２、物品購入プログラム３３で各種データが変更された場合に、演算部１１は、データ検索／管理プログラム３０を実行して、変更部分を、変更されたデータを有する他のデータベースの該当するデータを変更することができる。
【００４７】
さらに、演算部１１は、保守履歴／保守計画プログラム３１を実行して、検査・保守履歴データ６１、検査・保守計画データ６２、検査・保守用部品データ６３を作成することができる。
【００４８】
演算部１１は、保守履歴／保守計画プログラム３１を実行して、検査・保守履歴データ６１、プラント運転履歴／計画データ６７により寿命を評価することができる。具体的には、演算部１１は、プラント運転履歴／計画データ６７に含まれる運転履歴および運転計画と、検査・保守履歴データ６１に含まれる検査情報とから機器等の寿命を算出する。演算部１１は、運転履歴／計画データに含まれる実プラントの制御装置の起動、停止信号、負荷から前回の定検からの総運転時間を求め、それと運転計画データから次回の定検前に寿命が来るか、もしくは次々回の定検前に寿命が来るため次回の定検で対策が必要か、を判定する場合がある。検査情報として、腐食率と腐食代、もしくはその他の劣化速度が使用されて寿命が演算される場合もある。寿命や取替時期は、検査員などの評価により、直接入力される場合もある。
さらに、演算部１１は、検査・保守計画データ６２およびプラント運転履歴／計画データ６７を参照して、寿命までに検査もしくは保守の計画がなければ、表示部１５がアラームを表示するように制御することができる。さらに、演算部１１は、保守履歴／保守計画プログラム３１を実行して、算出した寿命を使用して、寿命より所定の期間前の時期もしくは保守が可能な寿命より前の時期に、検査または保守をするように自動的に、検査・保守計画データ６２を作成することができる。
【００４９】
さらに、演算部１１は、保守履歴／保守計画プログラム３１を実行して、保守を行って変更や取替をした部品のデータを、データ検索／管理プログラム３０を実行して使用し、各種データを変更するもしくは、各種データに変更されたことの注記をすることができる。
【００５０】
さらに、演算部１１は、保守履歴／保守計画プログラム３１を実行して、検査または保守を計画している機器等の検査・保守用部品データ６３を検索し、検査または保守または検査に必要な標準的な部品の種類と数量の情報を入手することができる。さらに、演算部１１は、保守履歴／保守計画プログラム３１を実行して、検査・保守計画データ６２を参照して、特別に取替などで使用する部品の種類と数量を入手することができる。検査・保守計画データ６２は、標準作業以外の保守に使用される部品の情報を含む場合がある。
演算部１１は、保守履歴／保守計画プログラム３１を実行して、検査または保守に必要な部品が、在庫として保有されているか在庫データ６４を検索することができる。必要な部品が在庫にない場合は、演算部１１は、物品購入プログラム３３を実行して、その部品の種類および数量を含む情報を使用して、その物品の販売者１０１のアドレスを物品購入先データ６５から検索し、さらに、その物品の見積依頼書もしくは発注書を作成して、ネットワーク１００を介して送付することができる。
もしくは、在庫がある場合は、演算部１１は在庫管理プログラム３２を実行して、その部品の使用予定と使用時期を在庫データ６４に記録する。在庫データ６４に使用予定と使用時期が記録された部品は予約され、他の使用が制限される。
【００５１】
さらに、演算部１１は、在庫管理プログラム３２を実行して、在庫として保有している部品や消耗品を管理する。演算部１１は、在庫管理プログラム３２を実行して、倉庫に保管される部品の入庫や出庫の情報を、在庫データ６４に記録する。さらに、演算部１１は、在庫管理プログラム３２を実行して、保守履歴／保守計画データ６２から部品の使用時期を入手し、在庫データ６４に記載することができる。
演算部１１が、在庫管理プログラム３２を実行して、検査・保守計画データ６２から入手される部品の使用情報と在庫データ６３の比較、予備品リスト４９と在庫データ６３の比較、消耗品リスト４６の適正な在庫数と在庫データ６３の比較をする場合がある。
【００５２】
さらに、消耗品リスト４６、潤滑油リスト４７、パッキンリスト４８が、記載される部品などの標準納期を含み、演算部１１が、物品購入プログラム３３を実行して、上記リストの標準納期、または標準納期と部品を使用する時期を含む検査・保守計画データ６２を参照して、発注が必要な部品の見積依頼時期、発注時期を演算することができる場合がある。演算された見積依頼時期、発注時期は、その時期より所定の期間前に、表示部１５表示されることが好ましい。これにより、適正な時期に部品の発注をすることができ、倉庫を有効利用することができ、さらに発注忘れを防止することができる。
さらに、演算部１１は、物品購入プログラム３３を実行して、複数の販売者１０１からの見積を比較して、適正な順に表示することができる。具体的には、安い順に表示する場合がある。
【００５３】
本発明のプラントデータ管理システムは、複数のデータベースに記憶されている同じデータを矛盾しないように管理することができる。また、各プログラムは必要なデータを、他のプログラムが管理するデータベースから検索して使用することができる。このため、複数のデータベースに同じデータを入力する必要がなく、データ入力のミスを防ぐことができる。
【００５４】
さらに、保守の計画に関するデータ、保守の履歴に関するデータ、記録される機器のデータ、在庫管理のためのデータ、物品購入のデータがリンクして、各データ同士で矛盾がないように確認する機能を有する。特に、保守の計画に関するデータや各機器の消耗品や予備品のデータと、在庫データが関連付けられ不足部品を確認し、不足部品の見積依頼や発注を簡単な操作で実施することができる。さらに、機器に関する各種データは、系統図に関連付けられ、系統図上から検索することができるため、使用者は容易に必要なデータを表示させることができる。
【００５５】
【発明の効果】
本発明のプラントデータ管理システムは、系統図とリンクを張ることによりデータ検索を簡単にし、さらに保守管理および発注管理の作業を簡単にすることができる。
【図面の簡単な説明】
【図１】図１は、プラントデータ管理システムの構成を示す。
【図２】図２は、データ検索／管理プログラム、保守履歴／保守計画プログラム、在庫管理プログラム、物品購入プログラムと、各データの関係を示す。
【図３】図３は、系統図が示されている画面を示す。
【図４】図４は、系統図上で、あるポンプが指定され、外形図・構造図が指定された場合に、そのポンプの構造図を表示した画面の例を示す。
【図５】図５は、系統図上で、ある機器が指定され、保守履歴が指定された場合に、その機器の保守履歴を表示した画面の例を示す。
【図６】図６は、系統図上で、ある機器が指定され、予備品リストが指定された場合に、その機器の予備品リストを表示した画面の例を示す。
【図７】図７は、プラントデータ管理システムの動作の一例を示す。
【図８】図８は、プラントデータ管理システムの動作の一例を示す（図７の続き）。
【符号の説明】
１０  ホストサーバ
１１  演算部
１２  記憶部
１３  通信部
１４  入力部
１５  表示部
２０  計画部門端末
２１  保守部門端末
２２  倉庫部門端末
２３  購買部門端末
３０  データ検索／管理プログラム
３１  保守履歴／保守計画プログラム
３２  在庫管理プログラム
３３  物品購入プログラム
３４  プラント運転履歴／計画プログラム
４１  仕様決定根拠書／基本設計仕様書
４２  仕様／設計データ
４３  外形図
４４  構造図
４５  計算書
４６  消耗品リスト
４７  潤滑油リスト
４８  パッキンリスト
４９  予備品リスト
６１  検査・保守履歴データ
６２  検査・保守計画データ
６３  検査・保守用部品データ
６４  在庫データ
６５  物品購入先データ
６６  系統図データ
６７  プラント運転履歴／計画データ
７０  画面
７１  系統図の名前
７２  機器の名前
７３  メニュー
８０  系統図
８１  ポインタ
８２  構造図
８３  保守履歴
８４  予備品リスト
１００  ネットワーク
１０１  物品販売者
【図１】
2004355380.tif 000003
【図２】
2004355380.tif 000004
【図３】
2004355380.tif 000005
【図４】
2004355380.tif 000006
【図５】
2004355380.tif 000007
【図６】
2004355380.tif 000008
【図７】
2004355380.tif 000009
【図８】
2004355380.tif 000010